(57)【要約】【課題】キャップ開封時の印刷剥がれ及び開封時のトルク増大を抑制できるボトル缶を提供すること。【解決手段】底部を有する円筒状の筒体の外面に印刷を施す印刷工程と、印刷工程後の筒体を加工して、円筒部に対して缶軸方向上側に向かうに従って縮径する縮径するテーパ部及びテーパ部の缶軸方向上側に缶軸に沿って延びる小径部を形成するネッキング工程と、小径部を加工して、膨出部及び雄ねじ部を有する口部を形成する口部成形工程と、を備え、印刷工程では、筒体における円筒部、テーパ部及び膨出部となる領域に対してインキを塗布し、かつ、領域における膨出部となる第１塗布領域の単位面積当たりのインキの塗布量を領域における円筒部となる第２塗布領域の単位面積当たりのインキの塗布量より少なくする。【選択図】図１
2020124833.tif 000002
【特許請求の範囲】
【請求項１】
底部を有する円筒状の筒体の外面に印刷を施す印刷工程と、前記印刷工程後の筒体を加工して、円筒部に対して缶軸方向上側に向かうに従って縮径するテーパ部及び該テーパ部の缶軸方向上側に缶軸に沿って延びる小径部を形成するネッキング工程と、前記小径部を加工して、膨出部及び雄ねじ部を有する口部を形成する口部成形工程と、を備え、
前記印刷工程では、前記筒体における前記円筒部、前記テーパ部及び前記膨出部となる領域に対してインキを塗布し、かつ、前記領域における前記膨出部となる第１塗布領域の単位面積当たりのインキの塗布量を前記領域における前記円筒部となる第２塗布領域の単位面積当たりのインキの塗布量より少なくすることを特徴とするボトル缶の製造方法。
【請求項２】
前記印刷工程では、前記第１塗布領域及び前記第２塗布領域の両方に前記インキを転写する第１版と、前記第２塗布領域のみに前記インキを転写する第２版とを用いて前記筒体の外面に印刷を施すことを特徴とする請求項１に記載のボトル缶の製造方法。
【請求項３】
前記印刷工程では、前記第１塗布領域に対して前記インキを転写する第１領域及び前記第２塗布領域に対して前記第１領域よりも多量の前記インキを転写する第２領域を有する１つの版を用いて前記筒体の外面に印刷を施すことを特徴とする請求項１に記載のボトル缶の製造方法。
【請求項４】
前記印刷工程では、前記第２塗布領域に印刷される前記インキの網点密度を前記第１塗布領域に印刷される前記インキの網点密度より高くすることを特徴とする請求項１に記載のボトル缶の製造方法。
【請求項５】
前記印刷工程では、前記第１塗布領域を網点印刷し、かつ前記第２塗布領域をベタ印刷することを特徴とする請求項１から請求項３のいずれか一項に記載のボトル缶の製造方法。
【請求項６】
前記印刷工程では、前記第１塗布領域及び前記第２塗布領域の両方に前記インキを転写する第１版を用いて、前記第１塗布領域を網点印刷するとともに前記第２塗布領域をベタ印刷し、前記第１塗布領域及び前記第２塗布領域の両方に前記インキを転写する第２版を用いて、前記第１塗布領域及び前記第２塗布領域をベタ印刷することを特徴とする請求項１に記載のボトル缶の製造方法。
【請求項７】
底部に接続される円筒状の円筒部と、該円筒部の上端から缶軸方向上側に向かうに従って縮径するテーパ部と、前記テーパ部の缶軸方向上側に設けられ、径方向に膨出する膨出部及び雄ねじ部を有する口部と、を備え、
前記円筒部、前記テーパ部及び前記膨出部には、インキが塗布されており、
前記膨出部の前記インキの単位面積当たりの塗布量は、前記円筒部の前記インキの単位面積当たりの塗布量より少ないことを特徴とするボトル缶。
【発明の詳細な説明】
【技術分野】
【０００１】
本発明は、飲料等の内容物が充填されるボトル缶及びその製造方法に関する。
【背景技術】
【０００２】
飲料等の内容物が充填、密封される缶体として、缶の開口端部にキャップが装着されたボトル缶が知られている。このボトル缶は、ネッキング工程の縮径率がいわゆる２ピース缶よりも大きく、その縮径した口部に膨出部や雄ねじ部等を成形する口部形成工程が施される。このようなボトル缶において、印刷は、絞りしごき工程、トリミング工程後の底部を有する円筒状の筒体に対して行われる。
【０００３】
このような筒体の外面に印刷する方法として、特許文献１や特許文献２に記載された方法が知られている。
特許文献１に記載の方法は、凸版を用いた印刷法であり、凹凸のある版の凸部にインキを付けて、筒体に転写する方法である。
特許文献２に記載の方法は、水なし平版を用いた印刷法であり、画像部以外の部分のインキ反発部をシリコーン樹脂により形成し、画像部にインキを付けて、筒体に転写する方法である。
いずれの場合も、印刷版からブランケットを介して筒体にインキを転写する。
【先行技術文献】
【特許文献】
【０００４】
【特許文献１】特開昭６３‐１６２２４１号公報
【特許文献２】特開２００２‐３６７１０号公報
【発明の概要】
【発明が解決しようとする課題】
【０００５】
ところで、近年、ボトル缶の意匠性を向上させる観点から、キャップに形成されたスリットの間から印刷がされていないボトル缶のアルミ地が見えることを抑制することが望まれている。
しかしながら、キャップに形成されたスリットの間からアルミ地が見えることを抑制するため、ボトル缶の口部の下端部に位置する膨出部まで、円筒部と同様に印刷を施した場合、ボトル缶の材料となるアルミニウム合金板は、圧延方向とその交差方向とで伸びが異なるため、印刷工程後のネッキング工程により膨出部のみならず、雄ねじ部にまで印刷範囲が拡大することがある。この場合、ボトル缶のねじ成型時、またはその後の工程で、塗膜がざらつき、開栓トルクが高くなるおそれがある。
【０００６】
本発明は、このような事情に鑑みてなされたもので、キャップ開封時の印刷剥がれ及び開封時のトルク増大を抑制できるボトル缶及びその製造方法を提供することを目的とする。
【課題を解決するための手段】
【０００７】
本発明のボトル缶の製造方法は、底部を有する円筒状の筒体の外面に印刷を施す印刷工程と、前記印刷工程後の筒体を加工して、円筒部に対して缶軸方向上側に向かうに従って縮径するテーパ部及び該テーパ部の缶軸方向上側に缶軸に沿って延びる小径部を形成するネッキング工程と、前記小径部を加工して、膨出部及び雄ねじ部を有する口部を形成する口部成形工程と、を備え、前記印刷工程では、前記筒体における前記円筒部、前記テーパ部及び前記膨出部となる領域に対してインキを塗布し、かつ、前記領域における前記膨出部となる第１塗布領域の単位面積当たりのインキの塗布量を前記領域における前記円筒部となる第２塗布領域の単位面積当たりのインキの塗布量より少なくする。
【０００８】
本発明では、口部の膨出部にインキを塗布するので、ボトル缶にキャップを装着した際に、該キャップに形成されたスリットからアルミ地が露出することを抑制できる。また、円筒部等と同様に印刷が施されているので、意匠性に優れる。
さらに、膨出部となる第１塗布領域の単位面積当たりのインキの塗布量を円筒部となる第２塗布領域の単位面積当たりのインキの塗布量より少なくするので、膨出部の単位面積当たりのインキの塗布量が少なくなる。このため、膨出部を超えて雄ねじ部の一部に印刷面がはみ出した場合でも、このはみ出した部分の単位面積当たりのインキの塗布量が少ないので、キャップ開封時の印刷剥がれ及び開封時のトルク増大を抑制できる。
【０００９】
本発明のボトル缶の製造方法の好ましい態様としては、前記印刷工程では、前記第１塗布領域及び前記第２塗布領域の両方に前記インキを転写する第１版と、前記第２塗布領域のみに前記インキを転写する第２版とを用いて前記筒体の外面に印刷を施すとよい。
【００１０】
上記態様では、第２版には、円筒部となる第２塗布領域のみにインキを転写する領域が設けられている、すなわち、第２版に第１塗布領域にインキを転写する領域が設けられていないので、これら２つの版を用いて印刷するだけで、第１塗布領域の単位面積当たりのインキの塗布量を容易に少なくできる。
【００１１】
本発明のボトル缶の製造方法の好ましい別の態様としては、前記印刷工程では、前記第１塗布領域に対して前記インキを転写する第１領域及び前記第２塗布領域に対して前記第１領域よりも多量の前記インキを転写する第２領域を有する１つの版を用いて前記筒体の外面に印刷を施すとよい。
【００１２】
上記態様では、第１領域及び第２領域を有する１つの版を用いて筒体の外面に印刷を施すことができるので、印刷工程を簡略化でき、製造コストを低減できる。
【００１３】
本発明のボトル缶の製造方法の好ましい別の態様としては、前記印刷工程では、前記第２塗布領域に印刷される前記インキの網点密度を前記第１塗布領域に印刷される前記インキの網点密度より高くするとよい。
【００１４】
上記態様では、第１塗布領域及び第２塗布領域のそれぞれに印刷されるインキの網点密度を変更するだけで、第１塗布領域の単位面積当たりのインキの塗布量を第２塗布領域の単位面積当たりのインキの塗布量よりも少なくできる。
【００１５】
本発明のボトル缶の製造方法の好ましい別の態様としては、前記印刷工程では、前記第１塗布領域を網点印刷し、かつ前記第２塗布領域をベタ印刷するとよい。
【００１６】
上記態様では、第１塗布領域を網点印刷し、第２塗布領域をベタ印刷することで、第１塗布領域の単位面積当たりのインキの塗布量を第２塗布領域の単位面積当たりのインキの塗布量よりも確実に少なくできる。
【００１７】
本発明のボトル缶の製造方法の好ましい別の態様としては、前記印刷工程では、前記第１塗布領域及び前記第２塗布領域の両方に前記インキを転写する第１版を用いて、前記第１塗布領域を網点印刷するとともに前記第２塗布領域をベタ印刷し、前記第１塗布領域及び前記第２塗布領域の両方に前記インキを転写する前記第２版を用いて、前記第１塗布領域及び前記第２塗布領域をベタ印刷するとよい。
【００１８】
上記態様では、第２塗布領域に対してベタ印刷が二回実行されるので、円筒部及びテーパ部の美観を高めることができる。また、第１塗布領域に対しては、網点印刷が実行された後、ベタ印刷が実行されるので、第１塗布領域のインキの塗布量を第２塗布領域のインキの塗布量よりも確実に少なくできる。
【００１９】
本発明のボトル缶は、底部に接続される円筒状の円筒部と、該円筒部の上端から缶軸方向上側に向かうに従って縮径するテーパ部と、前記テーパ部の缶軸方向上側に設けられ、径方向に膨出する膨出部及び雄ねじ部を有する口部と、を備え、前記円筒部、前記テーパ部及び前記膨出部には、インキが塗布されており、前記膨出部の前記インキの単位面積当たりの塗布量は、前記円筒部の前記インキの単位面積当たりの塗布量より少ない。
【００２０】
本発明では、口部の膨出部にインキが塗布されているので、ボトル缶にキャップを装着した際に、該キャップに形成されたスリットからアルミ地が露出することを抑制できる。また、円筒部等と同様に印刷が施されているので、意匠性に優れる。
さらに、膨出部の単位面積当たりのインキの塗布量が円筒部の単位面積当たりのインキの塗布量より少ないので、膨出部を超えて雄ねじ部の一部に印刷面がはみ出した場合でも、キャップ開封時の印刷剥がれ及び開封時のトルク増大を抑制できる。
【発明の効果】
【００２１】
本発明によれば、ボトル缶のように印刷工程の後に胴部に大きな加工が施される缶において、インキの密着性を向上させ、また印刷面の色調も合わせることができる。
【図面の簡単な説明】
【００２２】
【図１】本発明の一実施形態のボトル缶における製造途中の筒体の外周面に印刷を施した例を模式的に示す正面図である。
【図２】図１に示す筒体から製造したボトル缶とキャップとを示す正面図である。
【図３】上記実施形態のボトル缶の製造工程を（ａ）〜（ｃ）の順に示す図であり、（ａ）及び（ｂ）が缶軸を通る縦断面図、（ｃ）が正面図である。
【図４】筒体の外周面に印刷を施すための印刷機の概略構成を示す模式図である。
【図５】上記実施形態の変形例を模式的に示す正面図であり、その左側に印刷層の網点密度分布を示している。
【発明を実施するための形態】
【００２３】
以下、本発明の実施形態について、図面を参照して説明する。
本実施形態の製造方法により製造されるボトル缶１０１は、アルミニウム又はアルミニウム合金等の薄板金属からなり、図２に示すように、筒状の胴部１０とドーム状をなす底部２０とを備える有底円筒状に形成されている。また、胴部１０は、底部２０側において円筒状に形成された円筒部１１と、円筒部１１の上端で径方向内方に屈曲するように縮径された肩部１２と、缶軸Ｃ方向の上方（開口部１０ａ側）に向けて漸次縮径するテーパ部１３と、テーパ部１３の上端に形成された口部１５と、を備える。口部１５の外周部には、径方向外側に向けて膨出する帯状の膨出部１５１と、膨出部１５１の缶軸Ｃ方向の上方に位置する雄ねじ部１５２とが形成されている。この膨出部１５１は、キャップ１０２の裾を巻き締めるために用いられる。
【００２４】
なお、本実施形態のボトル缶１０１は、胴部１０における円筒部１１の外径Ｄ１が公称径で２１１径缶に用いられるものであるが、これに限定されるものではなく、それ以外の例えば２０４径缶等に適用してもよい。口部１５のねじ外径は例えば３８ｍｍに形成される。また、テーパ部１３と円筒部１１の缶軸Ｃとがなす角度（傾斜角度）をαとすると、傾斜角度θは例えば１０°以上４１°以下に設けられる。
このボトル缶１０１は、口部１５にキャップ１０２を被せて、そのキャップ１０２を口部１５の雄ねじ部１５２に倣うようにねじ加工することにより、内部が密封される。なお、キャップ１０２の裾が膨出部１５１に巻き締められ、キャップ１０２がボトル缶１０１に装着されると、膨出部１５１はキャップ１０２により覆われ、かつ、キャップ１０２に形成されたスリットから膨出部１５１の一部が外部から視認可能な状態となる。
【００２５】
このボトル缶１０１を製造するには、まず、アルミニウム板材を打ち抜いて絞り加工することにより、図３（ａ）に示すように比較的大径で浅いカップ３１を成形する（カップ成形工程）。その後、このカップ３１に再度の絞り加工及びしごき加工（ＤＩ加工）を加えて同図（ｂ）に示すように所定高さの有底円筒状の筒体３２を成形する（絞りしごき工程（ＤＩ工程））。この絞りしごき加工により、筒体３２の上端部に耳部が発生するので、上端部をトリミングして、高さを周方向に揃えた状態とする（トリミング工程）。この絞りしごき工程により、筒体３２の底部は最終のボトル缶１０１としての底部２０の形状に成形される。
【００２６】
次いで、筒体３２を脱脂及び化成処理した後、印刷機５０に供給して、外周面３２ａに印刷を施すとともに、その印刷層３３を含む外周面３２ａ全体に透明な塗膜（オーバーコート又は仕上げニス）を形成し、塗装後の筒体３２をオーブン内に通して印刷層３３及び塗膜を焼き付け、乾燥する（外面印刷塗装工程）。図１が印刷・塗装後の筒体３２を示しているが、便宜上、印刷層３３のみ符号を付して示している。印刷層３３の下の下地層及び印刷層３３の上の塗膜はいずれも印刷層３３よりも広い面積で形成される。
【００２７】
下地塗装は、筒体３２と印刷層３３との密着性を高めるために形成され、例えば高分子ポリエステル‐アミノ樹脂系塗料を塗布することにより形成される。透明な塗料による下地塗装もあるが、チタンホワイト等の白色顔料を添加したホワイトコートによる下地塗装もある。
【００２８】
印刷機５０は、図４に示すようにインキ付着機構６０と缶移動機構７０とを備えている。インキ付着機構６０は、色毎のインキを供給する複数のインカーユニット６１と、各インカーユニット６１の印刷版胴６２に接触してインキを写し取った後、筒体３２に接触してインキを筒体３２の外周面３２ａに転写するブランケット胴６３とから構成されている。印刷版胴６２の外周面には、筒体３２に印刷される図柄に応じた凸版が形成されている。ブランケット胴６３はその外周に各印刷版胴６２の凸版よりインキが転写される複数のブランケット６４を備えている。
【００２９】
一方、缶移動機構７０は、筒体３２を取り入れる供給シュータ７１と、この供給シュータ７１から供給された筒体３２を回転自在に保持する複数のマンドレル７２と、このマンドレル７２に装着された筒体３２を順次インキ付着機構６０のブランケット胴６３側に移動させるマンドレルターレット７３とを備えており、印刷後の筒体３２は、マンドレル７２からチェーンコンベア（図示略）に渡されてオーブン（図示略）に搬送される。また、マンドレルターレット７３において、印刷後の筒体３２を移送する途中位置に、筒体３２の外面に塗膜を形成するためのロールコーター７５が設けられている。
【００３０】
そして、ブランケット胴６３の各ブランケット６４に、各インカーユニット６１の印刷版胴６２から各色のインキが図柄パターンとして順次転写され、そのブランケット６４に、マンドレル７２により内側から支持された筒体３２が接触して転動することにより、筒体３２の外周面３２ａに印刷される。印刷後、ロールコーター７５によって印刷層を含む外周面３２ａ全体に樹脂塗膜のオーバーコートが形成される。印刷・外面塗装後の筒体３２は、乾燥・焼き付け処理される。
印刷層の上に形成される塗膜は、印刷層の表面を保護し滑り性を向上させるためのもので、アクリル樹脂、ポリエステル樹脂、アミノ樹脂、エポキシ樹脂等の透明塗料が用いられる。
【００３１】
次いで、筒体３２の内周面にスプレー等により塗料を吹き付けて内面塗装を行い、焼き付け、乾燥する（内面塗装工程）。
その後、筒体３２の上端部を成形して、図３（ｃ）に示すように、下側部分をそのまま円筒部１１とし、円筒部１１より上方部分を縮径して肩部１２及びテーパ部１３、その上方に小径部１８を形成する（ネッキング工程）。このネッキング工程により、外形がボトル形状の缶（ボトル形状缶３５とする）となり、円筒部１１からテーパ部１３までの胴部１０は最終形状となる。最後に、このボトル形状缶３５の小径部１８に膨出部１５１及び雄ねじ部１５２等を有する口部１５を形成する（口部成形工程）。
【００３２】
この一連の製造工程における外面塗装工程では、筒体３２の外周面３２ａのうち口部１５の膨出部１５１となる部分及び胴部１０となる外周面３２ａに印刷層３３及び塗膜を焼き付け、乾燥させる。すなわち、口部１５の膨出部１５１にインキを塗布するので、ボトル缶１０１にキャップ１０２を装着した際に、該キャップ１０２に形成されたスリットからアルミ地が露出することを抑制できる。
ここで、口部１５の膨出部１５１となる部分に胴部１０（円筒部１１）となる部分と同じ量のインキを塗布すると、ボトル缶１０１の材料となるアルミニウム合金板は、圧延方向とその交差方向とで伸びが異なるため、外面塗装工程後のネッキング工程により膨出部１５１のみならず、雄ねじ部１５２にまで印刷範囲が拡大することがある。この場合、ボトル缶１０１のねじ成型時、またはその後の工程で、塗膜がざらつき、開栓トルクが高くなるおそれがある。
【００３３】
そこで、本実施形態では、外面印刷塗装工程における塗布量を調整する。
図１は、外面印刷塗装工程後の筒体３２の外面を示しており、印刷層３３ａ，３３ｂは、底部２０からわずかな部分を残し、胴部１０となる領域（第２塗布領域１０ａとする）と、口部１５の膨出部１５１となる領域（第１塗布領域１５１ａとする）とに形成される。開口端部付近は、口部１５の雄ねじ部１５２となる領域（雄ねじ部予定領域１５２ａとする）である。
【００３４】
そして、外面印刷塗装工程では、筒体３２において第２塗布領域１０ａよりも第１塗布領域１５１ａの単位面積当たりの塗布量を少なくする。外面の印刷層において、第１塗布領域１５１ａに施される印刷層を第１印刷層３３ｂ、第２塗布領域１０ａに施される印刷層を第２印刷層３３ａとする。
筒体３２への印刷はオフセット印刷形式が採用されており、前述したように、色毎に設けた印刷版胴６２に各色のインキを付着させ、これら印刷版胴６２から一旦ブランケット６４に順次転写してから、そのブランケット６４から筒体３２に転写する。その印刷版胴６２としては、凸版又は水なし平版が用いられ、印刷画像は、凸版の凸部や水なし平板の画線部による多数の網点により構成される。
【００３５】
そして、第１塗布領域１５１ａと第２塗布領域１０ａとでインキの塗布量を異ならせる方法としては、網点の密度（スクリーン線数）を異ならせ、第１塗布領域１５１ａの第１印刷層３３ｂにおける網点の密度（単位面積当たりの塗布量）を第２塗布領域の第２印刷層３３ａにおける網点の密度より小さくする。
例えば、網点としては、スクリーン線数は８０線〜１７５線、網点の最小直径は３８μｍが可能とすると、第２塗布領域１０ａの第２印刷層３３ａと第１塗布領域１５１ａの第１印刷層３３ｂとで同じ網点直径でスクリーン線数を異ならせ、第１塗布領域１５１ａの第１印刷層３３ｂで網点密度が小さくなるように設定する、あるいは、スクリーン線数は同じで網点直径を異ならせ、第１塗布領域１５１ａの第１印刷層３３ｂで網点密度が小さくなるように設定する、等の方法が可能である。あるいは、スクリーン線数及び網点直径の両方を異ならせ、第１塗布領域１５１ａの第１印刷層３３ｂでスクリーン線数を少なくしかつ網点直径を小さくしてもよい。
【００３６】
なお、網点密度としては、第２塗布領域１０ａの第２印刷層３３ａを１００％、第１塗布領域１５１ａの第１印刷層３３ｂを１００％未満〜６０％の範囲で網点印刷の密度を小さくする。あるいは、第２印刷層３３ａを特定密度の網点印刷とし、第１印刷層３３ｂを第２印刷層３３ａにおける網点密度より小さい密度の網点印刷とする。
【００３７】
上記実施形態では、口部１５の膨出部１５１にインキを塗布するので、ボトル缶１０１にキャップ１０２を装着した際に、該キャップ１０２に形成されたスリットからアルミ地が露出することを抑制できる。また、円筒部１１等と同様に印刷が施されているので、意匠性に優れる。さらに、膨出部１５１となる第１塗布領域１５１ａの単位面積当たりのインキの塗布量を胴部１０（円筒部１１）となる第２塗布領域１０ａの単位面積当たりのインキの塗布量より少なくするので、膨出部１５１の単位面積当たりのインキの塗布量が少なくなる。このため、膨出部１５１を超えて雄ねじ部１５２の一部に印刷面がはみ出した場合でも、このはみ出した部分の単位面積当たりのインキの塗布量が少ないので、キャップ１０２の開封時の印刷剥がれ及び開封時のトルク増大を抑制できる。
【００３８】
また、印刷工程（外面塗装工程）では、第１塗布領域１５１ａに対してインキを転写する第１領域及び第２塗布領域１０ａに対して第１領域よりも多量のインキを転写する第２領域を有する１つの版を用いて筒体３２の外面に印刷を施すので、第１領域及び第２領域を有する１つの版（実際には、ＹＭＣＫの４つの版）を用いて筒体３２の外面に印刷を施すことができるので、印刷工程を簡略化でき、製造コストを低減できる。
さらに、第２塗布領域１０ａに印刷されるインキの網点密度を第１塗布領域１５１ａに印刷されるインキの網点密度より高くするので、第１塗布領域１５１ａ及び第２塗布領域１０ａのそれぞれに印刷されるインキの網点密度を変更するだけで、第１塗布領域１５１ａの単位面積当たりのインキの塗布量を第２塗布領域１０ａの単位面積当たりのインキの塗布量よりも少なくできる。
【００３９】
なお、本発明は上記実施形態に限定されるものではなく、本発明の趣旨を逸脱しない範囲において種々の変更を加えることが可能である。
例えば、上記実施形態では、円筒部１１及びテーパ部１３を含む胴部１０となる領域を第２塗布領域１０ａとしたが、これに限らず、例えば、第２塗布領域１０ａを、円筒部１１となる領域を第３塗布領域１１ａとテーパ部１３となる領域を第４塗布領域１３ａとの２つに分けることとしてもよい。この場合、第４塗布領域１３ａについては、グラデーションとしてもよい。
【００４０】
すなわち、上記一連の製造工程において、ネッキング工程では、胴部１０の円筒部１１より上方部分が大きく縮径加工されて肩部１２及びテーパ部１３が形成される。このため、その前工程の外面印刷塗装工程において形成した印刷層が肩部１２からテーパ部１３においては周方向に圧縮され、ネッキング工程前よりも厚肉となる。言い換えると、単位面積当たりのインキの塗布量がネッキング工程前よりも多くなる。このため、肩部１２からテーパ部１３においては、ネッキング工程前の状態よりもインキが厚肉になり、加工による歪みも残存するので、クラックや剥離が生じやすい。
【００４１】
そこで、このネッキング工程後の印刷層３３が円筒部１１と肩部１２及びテーパ部１３とで単位面積当たりのインキの塗布量がほぼ同じとなるように、外面印刷塗装工程における塗布量を調整してもよい。
【００４２】
本変形例では、網点直径やスクリーン線数を異ならせて網点密度を変える場合、ネッキング工程において、肩部１２からテーパ部１３の縮径率が、円筒部１１との境界から口部１５に向けて漸次大きくなるので、その縮径率の増大に合わせるように、網点直径とスクリーン線数のいずれか、またはその両方を連続的に変化させて、筒体３２における網点の密度を成形後に円筒部となる第３塗布領域１１ａとの境界から第１塗布領域１５１ａに向けて漸次小さくするようにしている。
例えば、図５に示すように、第３塗布領域１１ａの第３印刷層３３ｃを密度１００％のベタ印刷で、成形後にテーパ部１３となる第４塗布領域１３ａの第４印刷層３３ｄは第３塗布領域１１ａとの境界から第１塗布領域１５１ａに向かうにしたがって漸次網点密度を小さくして第４塗布領域１３ａの缶軸方向上側の先端で密度６０％となるように設定する、などの形態が可能である。図５では、網点密度を第３塗布領域１１ａとの境界から第１塗布領域１５１ａに向かうにしたがって段階的に小さくしているが、連続的（直線的）に小さくしてもよい。
【００４３】
このようにして第３塗布領域１１ａと第４塗布領域１３ａとで網点密度を変えて印刷した筒体３２をネッキング工程でネッキング加工すると、円筒部１１とテーパ部１３との印刷層３３における濃度や色調を合わせることができるとともに、テーパ部１３において印刷層３３が厚肉になることを抑制し、その後の内容物充填、レトルト殺菌等を経た後の印刷面のクラックの発生等を抑制することができる。
【００４４】
上記実施形態の印刷工程（外面塗装工程）では、第１塗布領域１５１ａ及び第２塗布領域１０ａの両方にインキを転写する第１版と、第２塗布領域１０ａのみにインキを転写する第２版とを用いて筒体３２の外面に印刷を施すこととしてもよい。この場合、第２版に第１塗布領域１５１ａにインキを転写する領域が設けられていないので、これら２つの版を用いて印刷するだけで、第１塗布領域１５１ａの単位面積当たりのインキの塗布量を第２塗布領域１０ａに比べて容易に少なくできる。
【００４５】
また、上記実施形態では、第１塗布領域１５１ａ及び第２塗布領域１０ａの網点密度を異ならせることにより、第１塗布領域１５１ａのインクの塗布量を第２塗布領域１０ａのインクの塗布量より少なくすることとしたが、これに限らず、例えば、第１塗布領域１５１ａを網点印刷し、第２塗布領域１０ａをベタ印刷することとしてもよい。
また、印刷工程において、第１塗布領域１５１ａ及び第２塗布領域１０ａの両方にインキを転写する第１版を用いて第１塗布領域１５１ａに網点印刷するとともに第２塗布領域１０ａをベタ印刷し、第１塗布領域１５１ａ及び第２塗布領域１０ａの両方にインキを転写する第２版を用いて、第１塗布領域１５１ａ及び第２塗布領域１０ａをベタ印刷することとしてもよい。この場合、第２塗布領域１０ａに対してベタ印刷が二回実行されるので、円筒部１１及びテーパ部１３の美観を高めることができる。また、第１塗布領域１５１ａに対しては、網点印刷が実行された後、ベタ印刷が実行されるので、第１塗布領域１５１ａのインキの塗布量を第２塗布領域１０ａのインキの塗布量よりも確実に少なくできる。
【００４６】
また、ボトル缶１０１として、予め一体成型された有底円筒状の筒体を形成して、その外面に印刷したが、筒体は一体成型された底部を有していないものも含むものとし、筒体に、別に形成した底部を巻き締めるようにしてもよい。
【００４７】
また、印刷前に、筒体３２の外周面３２ａにベースコートやサイズコート塗装を施してもよい。
【符号の説明】
【００４８】
１０  胴部
１０ａ  第２塗布領域
１１  円筒部
１１ａ  第３塗布領域（第２塗布領域）
１２  肩部
１３  テーパ部
１３ａ  第４塗布領域（第２塗布領域）
１５  口部
１５１  膨出部
１５２  雄ねじ部
１５１ａ  第１塗布領域
１８  小径部
２０  底部
３１  カップ
３２  筒体
３２ａ  外周面
３３  印刷層
３３ａ  第２印刷層
３３ｂ  第１印刷層
３３ｃ  第３印刷層
３３ｄ  第４印刷層
３５  ボトル形状缶  ５０  印刷機
６０  インキ付着機構
６１  インカーユニット
６２  印刷版胴
６３  ブランケット胴
６４  ブランケット
７２  マンドレル
７３  マンドレルターレット
７５  ロールコーター
１０１  ボトル缶
１０２  キャップ
【図１】
2020124833.tif 000003
【図２】
2020124833.tif 000004
【図３】
2020124833.tif 000005
【図４】
2020124833.tif 000006
【図５】
2020124833.tif 000007